(57)【要約】      （修正有）【課題】誰が着脱しても，また収納トレイにおいて記録面，非記録面の何れが表を向いていても，指の指紋，汚れ，傷などが付着しないことにより，記録，再生に際してエラーを生じない，新規な光ディスク着脱治具を提案する。【解決手段】剥離構造を備え，着脱自在な吸盤と押圧具が連結構成される光ディスク着脱治具を用いて，取り外し時は，吸盤を光ディスクの盤面に吸着させた状態で，収納トレイの中央固定部に押圧具を当て，押し当て具を押し下げながら吸盤を引き上げる操作により，装着時は，吸盤を光ディスクの盤面に吸着させた状態で，光ディスクの中央穴を収納トレイの中央固定部に重ね，押圧具を光ディスクの盤面，かつ中央穴の外側近傍に当て，吸盤ならびに押圧具を押し下げる操作により，光ディスクに指を触れることなく光ディスクの着脱が可能な，簡単，小型，軽量，低コストな光ディスク着脱治具。【選択図】図１
0003133947.tif 000002
【実用新案登録請求の範囲】
【請求項１】
収納トレイにおける光ディスクの着脱に関し，吸盤の剥離構造を備え，着脱自在な吸盤と押圧具が連結構成され，取り外し時は，吸盤を光ディスクの盤面に吸着させた状態で，収納トレイの中央固定部に押圧具を当て，押圧具を押し下げながら吸盤を引き上げる操作により，装着時は，吸盤を光ディスクの盤面に吸着させた状態で，光ディスクの中央穴を収納トレイの中央固定部に重ね，押圧具を光ディスクの盤面，かつ中央穴の外側近傍に当て，吸盤ならびに押圧具を押し下げる操作により，光ディスクに指を触れることなく光ディスクの着脱が可能な，簡単，小型，軽量，低コストな光ディスク着脱治具。
【考案の詳細な説明】
【技術分野】
【０００１】吸盤の剥離構造を備え，着脱自在な吸盤と押圧具が連結構成される着脱治具を用いて，収納トレイならびにディスクドライブでＣＤやＤＶＤなどの光ディスクを着脱することにより，光ディスクに指を触れることなく光ディスクの着脱が可能な，簡単，小型，軽量，低コストな光ディスク着脱治具に関する。
【背景技術】
【０００２】従来，ＣＤやＤＶＤなどの光ディスクを収納トレイから取り出したり，装着する場合は，光ディスクの外周を指で挟んで，トレイの中央固定部を指で押し下げて光ディスクの固定を解除して取り出すとともに，トレイの中央固定部と光ディスクの中央穴を重ねた状態で指で押し下げて装着する方法がとられ，記録面に指が触れないように細心の注意を払って取り扱うものの，指の指紋，汚れ，傷などが付着し易く，記録，再生に際してエラーが発生する可能性が高い。このために，機構構成や単純な吸盤により光ディスクを着脱する方法が種々提案されているが，機構構成はサイズが大きく，高コストとなり，吸盤だけを用いる単純な吸盤タイプは，トレイの中央固定部の固定力がトレイによって大きく相違するため着脱の確実性に難があるなど，何れの提案も種々の欠点を有している。
【考案が解決しようとする課題】
【０００３】従来は，ＣＤやＤＶＤなどの光ディスクを収納トレイから取り出したり装着する場合は，光ディスクの外周を指で挟むなど，記録面に触れないように細心の注意を払って取り扱っているが，とくに子供や女性にとってＣＤやＤＶＤの外径は大きく，指の指紋，汚れ，傷などが付着し易い傾向があった。しかるに，誰が着脱しても，また収納トレイにおいて記録面，非記録面の何れが表を向いていても，指の指紋，汚れ，傷などが付着しないことにより，記録，再生に際してエラーを生じない，新規な光ディスク着脱治具を提案する。
【課題を解決するための手段】
【０００４】吸盤の剥離構造を備え，着脱自在な吸盤と押圧具が連結構成される光ディスク着脱治具を用いて，取り外し時は，吸盤を光ディスクの盤面に吸着させた状態で，収納トレイの中央固定部に押圧具を当て，押圧具を押し下げながら吸盤を引き上げる操作により，装着時は，吸盤を光ディスクの盤面に吸着させた状態で，光ディスクの中央穴を収納トレイの中央固定部に重ね，押圧具を光ディスクの盤面，かつ中央穴の外側近傍に当て，吸盤ならびに押圧具を押し下げる操作により，光ディスクに指を触れることなく光ディスクの着脱が可能な，簡単，小型，軽量，低コストな光ディスク着脱治具。
【考案の効果】
【０００５】収納トレイやディスクドライブなどで光ディスクを着脱する場合に，光ディスクに指を触れることが無いため，誰が取り扱っても，また収納トレイにおいて記録面，非記録面の何れを表面としても，指の指紋，汚れ，傷などが付着せず，記録，再生に際してエラーが発生することが無く，子供や女性でも簡単に操作できる，簡単，小型，軽量，低コストな光ディスク着脱治具が実現される。
【考案を実施するための最良の形態】
【０００６】図３にＣＤ，ＤＶＤなどの光ディスク９，ならびに収納トレイ７の概観図を示す。ＣＤ，ＤＶＤは，ディスク寸法は１２０ｍｍ，中央穴１０は１５ｍｍ，厚さ１，２ｍｍの円盤状で，プラスチツクから作られている。またディスク寸法が８０ｍｍで中央穴１５ｍｍのタイプも有る。光ディスク９の中央穴１０を収納トレイ７の中央固定部８に挿入して固定する形式であるが，取り外し，取り付け操作時に光ディスクの記録面に指の指紋，汚れ，傷を付け易く，光ディスクの記録，再生時にエラーを発生させる原因となる。【０００７】図１ならびに図２に本考案による光ディスク着脱治具の概観斜視図を示す。光ディスクの盤面への吸着を行う吸盤１，吸盤の剥離を行う剥離構造２，吸盤取手３，収納トレイの中央固定部，および光ディスクの盤面を押し下げる押圧具５，押圧具取手４で構成され，材質は塩化ビニール樹脂を成型により形成する。６は吸盤取手３を押圧具取手４に嵌め込んで連結するための筒状凹部であり，吸盤と押圧具は不使用時は連結構成され一体で保管される。【０００８】光ディスクの盤面は表面が極めて滑らかなため，吸盤により十分な吸着力が得られる。本実施例では，剥離構造２として剥離突起を構成しており，吸盤１が吸着した状態で剥離突起を取手部の方向に倒すことにより吸盤内に空気が流入して吸着が解除される。【０００９】光ディスクの取り外しは，図４に示すように，吸盤を光ディスクの盤面に吸着させた状態で，収納トレイの中央固定部８に押圧具５を当て，押圧具を押し下げながら吸盤を引き上げる。【００１０】光ディスクの装着は，図５に示すように，吸盤を光ディスクの盤面に吸着させた状態で，光ディスクの中央穴１０を収納トレイの中央固定部に重ね，押圧具５を光ディスクの盤面，かつ中央穴の外側近傍に当て，吸盤ならびに押圧具を押し下げる操作により，光ディスクに指を触れることなく光ディスクの着脱が可能な，簡単，小型，軽量，低コストな光ディスク着脱治具。
【実施例】
【００１１】吸盤，吸盤取手，押圧具，押圧具取手の材質は塩化ビニール樹脂を使用し，吸盤の外径は２５ｍｍ，吸盤取手は径１２ｍｍ，長さ２０ｍｍに設定した。押圧具５の径はＣＤの中央穴の径１５ｍｍならびに収納トレイの中央固定部８の径を考慮して１１ｍｍ，長さ１０ｍｍとし，押圧具取手４の径は１８ｍｍ，長さ４０ｍｍ，剥離突起は剥離の容易性を考慮して，径５ｍｍ，長さ６ｍｍとした。不使用時に吸盤取手を押圧具取手に嵌め込んで連結するための筒状凹部の内径は収納する吸盤取手の外径に対して０，２ｍｍ狭くして保持性を確保した。【００１２】吸盤と押圧具の材質は，吸盤としての性能が得られ，光ディスクの盤面に傷を付けない材質であれば，互いに異なった材質を使用することも可能である。また，剥離構造に関しても，突起に限定されず羽状など種々の構造が考えられるとともに，必ずしも吸盤上に構成される必要も無い。各種ディメンジョンに関しても，本実施例に限定されるものでは無い。さらに，吸盤と押圧具を紐材などで連結して分離紛失を防ぐ構成とするなど，本考案の登録請求範囲を逸脱しない範囲であれば種々変形実施が可能である。
【図面の簡単な説明】
【００１３】
【図１】光ディスク着脱治具の概観斜視図を示す。
【図２】光ディスク着脱治具の部材の概観斜視図を示す。
【図３】光ディスクならびにトレイの概観斜視図を示す。
【図４】光ディスク取り外し時の操作概念図を示す。
【図５】光ディスク装着時の操作概念図を示す。
【符号の説明】
１  吸盤
２  剥離構造
３  吸盤取手
４  押圧具取手
５  押圧具
６  連結部
７  収納トレイ
８  中央固定部
９  光ディスク
１０  中央穴
【図１】
0003133947.tif 000003
【図２】
0003133947.tif 000004
【図３】
0003133947.tif 000005
【図４】
0003133947.tif 000006
【図５】
0003133947.tif 000007
【手続補正書】
【提出日】平成19年2月16日(2007.2.16)
【手続補正１】
【補正対象書類名】実用新案登録請求の範囲
【補正対象項目名】全文
【補正方法】変更
【補正の内容】
【実用新案登録請求の範囲】
【請求項１】
光ディスクの着脱に関し，塩化ビニール樹脂などで成型され，連結部で着脱自在に連結される吸盤と押圧具で構成され，光ディスクの盤面への吸着を行う吸盤には，吸盤内に空気を流入させて吸着を解除する剥離構造，ならびに吸盤の操作のための吸盤取手が形成され，光ディスクの盤面を押し下げる押圧具には，押圧具の操作のための押圧具取手が形成される。吸盤と押圧具を分離して操作することにより，光ディスクに指を触れることなくディスクの着脱を可能とする，簡単，小型，軽量，低コストな光ディスク着脱治具。
【手続補正書】
【提出日】平成19年4月19日(2007.4.19)
【手続補正１】
【補正対象書類名】実用新案登録請求の範囲
【補正対象項目名】全文
【補正方法】変更
【補正の内容】
【実用新案登録請求の範囲】
【請求項１】
光ディスクの着脱に関し，塩化ビニールなどの樹脂材で形成され，着脱自在に連結される吸盤と押圧具で構成され，光ディスクの盤面への吸着を行う吸盤には，吸盤内に空気を流入させて吸着を解除する剥離構造，ならびに吸盤の操作のための吸盤取手が形成され，光ディスクの盤面を押し下げる押圧具には，押圧具の操作のための押圧具取手が形成され，操作時には吸盤と押圧具を分離して操作することにより，光ディスクに指を触れることなくディスクの着脱を可能とする，簡単，小型，軽量，低コストな光ディスク着脱治具。